(57)【要約】【課題】出金処理を停止させずに多量の紙幣を効率的に出金することが可能な紙幣処理装置を提供する。【解決手段】出金される紙幣を集積する第１出金口及び第２出金口と、前記第１出金口又は前記第２出金口へ紙幣を搬送する搬送部と、移動することにより前記第１出金口を開閉可能な第１開閉部材と、移動することにより前記第２出金口を開閉可能な第２開閉部材と、前記搬送部による前記紙幣の搬送と、前記第１開閉部材及び前記第２開閉部材の開閉動作とを制御する制御部と、を備え、前記制御部は、出金処理の際に前記第１出金口の前記紙幣の集積枚数が最大集積枚数に達した場合には、前記紙幣の搬送先を前記第１出金口から前記第２出金口へ切り替える切替動作と、前記第１開閉部材を開ける開動作とを行う、紙幣処理装置。【選択図】図４
2014035676.tif 000002
【特許請求の範囲】
【請求項１】
出金される紙幣を集積する第１出金口及び第２出金口と、
前記第１出金口又は前記第２出金口へ紙幣を搬送する搬送部と、
移動することにより前記第１出金口を開閉可能な第１開閉部材と、
移動することにより前記第２出金口を開閉可能な第２開閉部材と、
前記搬送部による前記紙幣の搬送と、前記第１開閉部材及び前記第２開閉部材の開閉動作とを制御する制御部と、
を備え、
前記制御部は、
出金処理の際に前記第１出金口の前記紙幣の集積枚数が最大集積枚数に達した場合には、前記紙幣の搬送先を前記第１出金口から前記第２出金口へ切り替える切替動作と、前記第１開閉部材を開ける開動作とを行う、紙幣処理装置。
【請求項２】
請求項１に記載の紙幣処理装置において、
前記制御部は、前記搬送先を前記第１出金口から前記第２出金口へ切り替えた後に、前記第１開閉部材を開ける、紙幣処理装置。
【請求項３】
請求項１又は２に記載の紙幣処理装置において、
前記第１出金口又は前記第２出金口に集積された紙幣が抜け取られたことを検知する検知部を更に備え、
前記制御部は、前記切替動作と前記開動作を行った後に、前記第１出金口に集積された前記紙幣が抜き取られた場合には、前記第１開閉部材を閉める閉動作を行う、紙幣処理装置。
【請求項４】
請求項３に記載の紙幣処理装置において、
前記制御部は、前記第２出金口への前記紙幣の搬送が完了する前に前記第１出金口に集積された前記紙幣が抜き取られない場合には、前記第１出金口及び前記第２出金口への前記紙幣の搬送を停止する、紙幣処理装置。
【請求項５】
請求項１〜４のいずれか１項に記載の紙幣処理装置において、
前記制御部は、
前記切替動作と前記開動作を行った後に、前記第２出金口の前記紙幣の集積枚数が最大集積枚数に達した場合には、
前記搬送先を前記第２出金口から前記第１出金口へ切り替える切替動作と、前記第２開閉部材を開ける開動作とを行う、紙幣処理装置。
【請求項６】
請求項１に記載の紙幣処理装置において、
前記制御部は、前記第１開閉部材を開けた後に、前記搬送先を前記第１出金口から前記第２出金口へ切り替える、紙幣処理装置。
【請求項７】
請求項１に記載の紙幣処理装置において、
前記制御部は、前記搬送先を前記第１出金口から前記第２出金口へ切り替えると同時に、前記第１開閉部材を開ける、紙幣処理装置。
【請求項８】
請求項１〜７のいずれか１項に記載の紙幣処理装置において、
前記制御部は、
前記切替動作を行った後に搬送される紙幣の枚数と、前記第２出金口の最大集積枚数とを比較し、
前記紙幣の枚数が前記最大集積枚数よりも多いか否かに応じて、前記第１開閉部材の開動作のタイミングを異ならせる、紙幣処理装置。
【請求項９】
請求項８に記載の紙幣処理装置において、
前記制御部は、
前記紙幣の枚数が前記最大集積枚数以下である場合には、前記第２出金口への前記紙幣の搬送が完了した後に、前記第１開閉部材と前記第２開閉部材を同時に開け、
前記紙幣の枚数が前記最大集積枚数よりも多い場合には、前記切替動作と共に前記第１開閉部材を開ける、紙幣処理装置。
【請求項１０】
第１出金口及び第２出金口で出金される紙幣の搬送と、前記第１出金口を開閉可能な第１開閉部材及び前記第２出金口を開閉可能な第２開閉部材の開閉動作と、を制御する紙幣処理方法であって、
前記第１出金口に前記紙幣を搬送するステップと、
出金処理の際に前記第１出金口に搬送された前記紙幣の集積枚数が最大集積枚数に達した場合には、前記紙幣の搬送先を前記第１出金口から前記第２出金口へ切り替える切替動作と、前記第１開閉部材を開ける開動作とを行うステップと、
切り替え後の前記第２出金口に前記紙幣を搬送するステップと、
を有する紙幣処理方法。
【発明の詳細な説明】
【技術分野】
【０００１】
本発明は、紙幣処理装置、及び紙幣処理方法に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
下記の特許文献１には、紙幣入金口に投入された紙幣を一時保留部に一時保留した後にスタッカに収納する入金処理と、スタッカに収納された紙幣を分離して紙幣出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
ところで、上記の出金処理において、多量の紙幣を出金する場合がある。かかる場合に、特許文献１の貨幣処置装置のように貨幣出金口が一つのみだと、出金処理を途中で停止するケースが生じる。
【０００６】
すなわち、貨幣出金口が集積できる最大集積枚数よりも出金する紙幣の枚数が多い場合には、貨幣出金口に集積された紙幣の枚数が最大集積枚数に達した際に、出金処理を停止させて、貨幣出金口に集積された紙幣を抜き取る必要がある。このため、残りの紙幣の貨幣出金口への搬送を再開するまでに時間が掛かる。また、紙幣が抜き取られるまで紙幣の搬送が再開されないので、出金処理の効率が低下する恐れがある。
【０００７】
そこで、本発明は、上記問題に鑑みてなされたものであり、本発明の目的とするところは、出金処理を停止させずに多量の紙幣を効率的に出金することが可能な、新規かつ改良された紙幣処理装置を提供することにある。
【課題を解決するための手段】
【０００８】
上記課題を解決するために、本発明のある観点によれば、出金される紙幣を集積する第１出金口及び第２出金口と、前記第１出金口又は前記第２出金口へ紙幣を搬送する搬送部と、移動することにより前記第１出金口を開閉可能な第１開閉部材と、移動することにより前記第２出金口を開閉可能な第２開閉部材と、前記搬送部による前記紙幣の搬送と、前記第１開閉部材及び前記第２開閉部材の開閉動作とを制御する制御部と、を備え、前記制御部は、出金処理の際に前記第１出金口の前記紙幣の集積枚数が最大集積枚数に達した場合には、前記紙幣の搬送先を前記第１出金口から前記第２出金口へ切り替える切替動作と、前記第１開閉部材を開ける開動作とを行う、紙幣処理装置が提供される。
【０００９】
かかる紙幣処理装置によれば、制御部は、出金処理の際に第１出金口の紙幣の集積枚数が最大集積枚数に達した場合には、紙幣の搬送先を第１出金口から第２出金口へ切り替える切替動作と、第１開閉部材を開ける開動作とを行う。これにより、第１出金口に集積された紙幣の枚数が最大集積枚数に達しても、出金処理を停止させずに、第２出金口に紙幣を搬送させることができる。また、第１開閉部材を開けることにより、第２出金口への紙幣の搬送中に、第１出金口に集積された紙幣を抜き取ることが可能なので、多量の紙幣を出金処理する際に紙幣を効率的に抜き取ることができる。
【００１０】
また、上記の紙幣処理装置において、前記制御部は、前記搬送先を前記第１出金口から前記第２出金口へ切り替えた後に、前記第１開閉部材を開けることとしても良い。
【００１１】
また、上記の紙幣処理装置において、前記第１出金口又は前記第２出金口に集積された紙幣が抜け取られたことを検知する検知部を更に備え、前記制御部は、前記切替動作と前記開動作を行った後に、前記第１出金口に集積された前記紙幣が抜き取られた場合には、前記第１開閉部材を閉める閉動作を行うこととしても良い。
【００１２】
また、上記の紙幣処理装置において、前記制御部は、前記第２出金口への前記紙幣の搬送が完了する前に前記第１出金口に集積された前記紙幣が抜き取られない場合には、前記第１出金口及び前記第２出金口への前記紙幣の搬送を停止することとしても良い。
【００１３】
また、上記の紙幣処理装置において、前記制御部は、前記切替動作と前記開動作を行った後に、前記第２出金口の前記紙幣の集積枚数が最大集積枚数に達した場合には、前記搬送先を前記第２出金口から前記第１出金口へ切り替える切替動作と、前記第２開閉部材を開ける開動作とを行うこととしても良い。
【００１４】
また、上記の紙幣処理装置において、前記制御部は、前記第１開閉部材を開けた後に、前記搬送先を前記第１出金口から前記第２出金口へ切り替えることとしても良い。
【００１５】
また、上記の紙幣処理装置において、前記制御部は、前記搬送先を前記第１出金口から前記第２出金口へ切り替えると同時に、前記第１開閉部材を開けることとしても良い。
【００１６】
また、上記の紙幣処理装置において、前記制御部は、前記切替動作を行った後に搬送される紙幣の枚数と、前記第２出金口の最大集積枚数とを比較し、前記紙幣の枚数が前記最大集積枚数よりも多いか否かに応じて、前記第１開閉部材の開動作のタイミングを異ならせることとしても良い。
【００１７】
また、上記の紙幣処理装置において、前記制御部は、前記紙幣の枚数が前記最大集積枚数以下である場合には、前記第２出金口への前記紙幣の搬送が完了した後に、前記第１開閉部材と前記第２開閉部材を同時に開け、前記紙幣の枚数が前記最大集積枚数よりも多い場合には、前記切替動作と共に前記第１開閉部材を開けることとしても良い。
【００１８】
また、上記課題を解決するために、本発明の別の観点によれば、第１出金口及び第２出金口で出金される紙幣の搬送と、前記第１出金口を開閉可能な第１開閉部材及び前記第２出金口を開閉可能な第２開閉部材の開閉動作と、を制御する紙幣処理方法であって、前記第１出金口に前記紙幣を搬送するステップと、出金処理の際に前記第１出金口に搬送された前記紙幣の集積枚数が最大集積枚数に達した場合には、前記紙幣の搬送先を前記第１出金口から前記第２出金口へ切り替える切替動作と、前記第１開閉部材を開ける開動作とを行うステップと、切り替え後の前記第２出金口に前記紙幣を搬送するステップと、を有する紙幣処理方法が提供される。
【発明の効果】
【００１９】
以上説明したように本発明によれば、出金処理を停止させずに多量の紙幣を効率的に出金することが可能となる。
【図面の簡単な説明】
【００２０】
【図１】第１の実施形態に係る紙幣処理装置１０の内部構成例を示す図である。
【図２】第１シャッタ１６及び第２シャッタ１７の構成例を示す模式図である。
【図３】比較例に係る紙幣処理装置９００の内部構成例を示す図である。
【図４】紙幣処理装置１０の機能構成例を示すブロック図である。
【図５】第１の実施形態に係る出金処理例を示すフローチャートである。
【図６】第１の実施形態に係る出金紙幣の計数処理例を示すフローチャートである。
【図７】出金処理の際の第１シャッタ１６及び第２シャッタ１７の開閉状態を説明するための図である。
【図８】第２の実施形態に係る出金処理例を示すフローチャートである。
【図９】第２の実施形態に係る計数処理例を示すフローチャートである。
【図１０】第１出金口１４及び第２出金口１５の紙幣の集積枚数と、第１シャッタ１６及び第２シャッタ１７の開動作との関係を説明するための図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．紙幣処理装置の内部構成例）
図１を参照しながら、第１の実施形態に係る紙幣処理装置１０の内部構成例について説明する。
【００２３】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２４】
紙幣処理装置１０は、図１に示すように、入金口１２と、第１出金口１４と、第２出金口１５と、紙幣認識部２０と、一時保留部２２と、搬送部２４と、紙幣カセット３０Ａ〜３０Ｄと、リジェクト庫付き紙幣カセット３５と、表示部４０とを有する。
【００２５】
入金口１２は、職員が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２６】
第１出金口１４及び第２出金口１５は、職員が受け取る紙幣が排出（出金）される排出口である。第１出金口１４及び第２出金口１５は、排出する紙幣を集積する集積機能を有する。第１出金口１４及び第２出金口１５は、一例として、紙幣を１００枚（最大集積枚数）集積できる容量を有する。図１に示す例では、出金口が２つ設けられているが、これに限定されず、例えば出金口が３つ以上であってもよい。なお、図２に示すように、第１出金口１４には開口部を開閉する第１出金口シャッタ（以下、第１シャッタと呼ぶ）１６が、第２出金口１５には開口部を開閉する第２出金口シャッタ（以下、第２シャッタと呼ぶ）１７が、それぞれ設けられている。
【００２７】
図２は、第１シャッタ１６及び第２シャッタ１７の構成例を示す模式図である。図２（ａ）には、第１シャッタ１６及び第２シャッタ１７が閉じた状態が示され、図２（ｂ）には、第１シャッタ１６が開いた状態が示されている。第１シャッタ１６及び第２シャッタ１７は、移動することにより第１出金口１４と第２出金口１５を閉じる。なお、第１出金口１４に紙幣が搬送されている際には、第１シャッタ１６は閉じており、第２出金口１５に紙幣が搬送されている際には、第２シャッタ１７は閉じている。なお、図２では、平面状の第１シャッタ１６及び第２シャッタ１７をスライドさせて開閉させているが、曲面状のシャッタを回動させて開閉されても良い。
【００２８】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２９】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００３０】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００３１】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、後述する制御部により制御され、紙幣を目的の搬送先（例えば、第１出金口１４又は第２出金口１５）に搬送する。
【００３２】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、個別に交換することで紙幣カセット３０Ａ〜３０Ｄに紙幣を装填することも可能である。
【００３３】
リジェクト庫付き紙幣カセット３５（以下、紙幣カセット３５とも称す）は、紙幣処理装置１０に対して着脱可能な構造になっており、個別に交換することで、紙幣の回収および補充が可能である。また、紙幣カセット３５は、上側に紙幣収納庫３６、下側（底部）にリジェクト庫３７を備える。
【００３４】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充に、紙幣収納庫３６内に集積している紙幣を繰り出し、紙幣カセット３０Ａ〜３０Ｄに紙幣を補充することができる。
【００３５】
リジェクト庫３７は、紙幣を集積する集積機能のみ有する。リジェクト庫３７は、紙幣認識部２０によって異常と鑑別（リジェクト判定）された紙幣（リジェクト紙幣）を集積するための紙幣収納部である。
【００３６】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３７】
また、紙幣処理装置１０は、職員が操作可能な操作部（不図示）を有する。紙幣処理装置１０は、職員が操作部を操作することにより、入金や出金の取引に対応する入金処理や出金処理等を行う。なお、紙幣処理装置１０は、操作部の代わりに、紙幣処理装置１０に接続された受付端末における職員の操作に基づいて、処理を行なっても良い。
【００３８】
（１−２．紙幣処理装置の基本処理）
紙幣処置装置１０は、基本処理として、例えば入金処理、出金処理、補充処理、回収処理を行う。以下では、図１を参照しながら処理毎に説明する。
【００３９】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｄに集積する通常入金処理と、入金紙幣を一時保留部２２へ退避させないで直接紙幣カセット３０Ａ〜３０Ｄに集積するダイレクト入金処理とを行う。なお、紙幣処理装置１０は、設定により通常入金処理又はダイレクト入金処理を選択することができる。
【００４０】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、集積処理に移行する。
【００４１】
一方で、紙幣認識部２０による鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。
【００４２】
集積処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３７に集積される。
【００４３】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を第１出金口１４、又は第２出金口１５へ集積する。
【００４４】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。
【００４５】
（出金処理）
出金処理は、紙幣カセット３０Ａ〜３０Ｄの紙幣を第１出金口１４又は第２出金口１５に集積する処理である。
【００４６】
出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、第１出金口１４又は第２出金口１５に集積される。具体的には、例えば出金する正常紙幣の金種や枚数に応じて、第１出金口１４又は第２出金口１５に選択的に集積（集金）される。一方で、鑑別結果が異常であった紙幣、すなわち、顧客に支払いできない紙幣は、紙幣カセット３５のリジェクト庫３７に集積される。
【００４７】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４８】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、第１出金口１４又は第２出金口１５に集積される。
【００４９】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００５０】
カセット計数補充においては、まず、紙幣カセット３５の紙幣収納庫３６に予め紙幣を装填し、紙幣処理装置１０にセットする。次に、紙幣収納庫３６から繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、紙幣認識部２０により計数処理が実行されるので、補充した紙幣の金種および枚数をオペレータがマニュアルで登録する必要はない。
【００５１】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００５２】
出金口回収は、上述した出金処理における動作と同様である。例えば、回収対象の紙幣カセット３０Ａ〜３０Ｄから繰り出され、紙幣認識部２０による鑑別結果が正常であった紙幣は、第１出金口１４又は第２出金口１５に集積される。一方で、鑑別結果が異常であった紙幣は、リジェクト庫３７に集積される。そして、回収対象の紙幣カセット３０Ａ〜３０Ｄに集積された全紙幣に対して行い、職員は、第１出金口１４又は第２出金口１５から、正常判定された紙幣を回収することができる。また、職員は、リジェクト庫３７から異常判定された紙幣を回収することができる。
【００５３】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５４】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３６に集積される。一方で、鑑別結果が異常であった紙幣は、リジェクト庫３７に集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５５】
（１−３．多量の紙幣を出金する際の問題点）
次に、多量の紙幣を出金する際の問題点について、図３に示す比較例に係る紙幣処理装置９００を例に挙げて説明する。
【００５６】
図３は、比較例に係る紙幣処理装置９００の内部構成例を示す図である。紙幣処理装置９００は、図３に示すように一つの出金口９１４のみを有し、二つの出金口（第１出金口１４、及び第２出金口１５）を有する紙幣処理装置１０と異なる。紙幣処理装置９００においては、紙幣カセット３０Ａ〜３０Ｄから分離された多量の紙幣を一つの出金口９１４に出金することになる。かかる場合には、出金処理を途中で停止するケースが生じる。
【００５７】
通常、出金口９１４が集積できる紙幣の枚数には限りがある。このため、出金口９１４の最大集積枚数よりも出金する紙幣の枚数が多い場合には、出金口９１４に集積された紙幣の枚数が最大集積枚数に達した際に、出金処理を一旦停止させて、職員が出金口９１４に集積された紙幣を抜き取る必要がある。具体的には、出金処理を停止させて出金口９１４のシャッタを開けて紙幣を抜き取り、その後にシャッタを閉めると、残りの紙幣の出金口９１４の搬送が再開される。このため、残りの紙幣の出金口９１４への搬送を再開するまでに時間が掛かる。また、シャッタが閉まるまで紙幣の搬送が再開されないので、出金処理の効率が低下する恐れがある。
【００５８】
これに対して、第１の実施形態に係る紙幣処理装置１０では、詳細は後述するが、出金処理の際に、第１出金口１４と第２出金口１５のうちの一方の出金口（ここでは、便宜上、第１出金口と呼ぶ）の紙幣の集積枚数が最大集積枚数に達した場合には、紙幣の搬送先を一方の出金口から他方の出金口（便宜上、第２出金口と呼ぶ）へ切り替える動作と、第１出金口のシャッタを開ける開動作とを行う。これにより、第１出金口に集積された紙幣の枚数が最大集積枚数に達しても、出金処理を停止させずに、第２出金口に紙幣を引き続き搬送させることができる。また、第１出金口のシャッタ（第１シャッタ１６又は第２シャッタ１７）を開けることにより、第２出金口への紙幣の搬送中に、第１出金口に集積された紙幣を抜き取ることが可能なので、多量の紙幣を出金処理する際に紙幣を効率的に抜き取ることができる。
【００５９】
（１−４．紙幣処理装置の機能構成例）
図４を参照しながら、紙幣処理装置１０の機能構成例について説明する。図４は、紙幣処理装置１０の機能構成例を示すブロック図である。図４に示すように、紙幣処理装置１０は、制御部７０と、記憶部８０と、検知部８２とを備える。
【００６０】
制御部７０は、紙幣処理装置１０の動作全般を制御する。具体的には、制御部７０は、上述した入金処理、出金処理、補充処理、回収処理等の基本処理を制御する。例えば、制御部７０は、搬送部２４による紙幣の搬送と、第１シャッタ１６及び第２シャッタ１７の開閉動作とを制御する。
【００６１】
ところで、第１の実施形態において、制御部７０は、多量の紙幣を出金処理する際に、第１シャッタ１６及び第２シャッタ１７を以下のように制御する。ここでは、第１シャッタ１６が、移動することにより第１出金口１４を開閉可能な第１開閉部材に該当し、第２シャッタ１７が、移動することにより第２出金口１５を開閉可能な第２開閉部材に該当するものとする。また、出金処理の際に、第１出金口１４と第２出金口１５のうち第１出金口１４に紙幣が先に搬送されるものとする。
【００６２】
制御部７０は、出金処理の際に第１出金口１４の紙幣の集積枚数が最大集積枚数（１００枚）に達した場合には、紙幣の搬送先を第１出金口１４から第２出金口１５へ切り替える切替動作と、第１シャッタ１６を開ける開動作とを行う。具体的には、制御部７０は、第１出金口１４の紙幣の集積枚数が最大集積枚数に達した場合には、紙幣の搬送先を第１出金口１４から第２出金口１５へ切り替えた後に、第１シャッタ１６を開ける。なお、搬送部２４は、搬送路に切替ブレード等の部材を有しており、切替ブレードを例えば回動させることで、搬送先として第１出金口１４又は第２出金口１５に設定できる。
【００６３】
これにより、第１出金口１４に集積された紙幣の枚数が最大集積枚数に達しても、出金処理を停止させずに、第２出金口１５に紙幣を搬送させることができる。また、搬送先の切り替え後に第１シャッタ１６を開けることにより、第２出金口１５への紙幣の搬送中に、第１出金口１４に集積された紙幣を抜き取ることが可能なので、多量の紙幣を出金処理する際に紙幣を効率的に抜き取ることができる。
【００６４】
上記では、制御部７０は、紙幣の搬送先を第１出金口１４から第２出金口１５へ切り替えた後に、第１シャッタ１６を開けることとしたが、これに限定されない。例えば、制御部７０は、第１シャッタ１６を開けた後に、搬送先を第１出金口１４から第２出金口１５へ切り替えても良い。又は、制御部７０は、搬送先を第１出金口１４から第２出金口１５へ切り替えると同時に、第１シャッタ１６を開けても良い。かかる場合にも、出金処理を停止させずに、多量の紙幣を出金処理することができる。また、第１シャッタ１６を開けるタイミングを早めることになるので、職員は、第２出金口１５への紙幣の搬送中に第１出金口１４に集積された紙幣を抜き取り易くなる。
【００６５】
また、制御部７０は、搬送先の切替動作と第１シャッタ１６の開動作とを行った後に、第１出金口１４に集積された紙幣が抜き取られた場合には、第１シャッタ１６を閉める閉動作を行う。これにより、第１シャッタ１６が開いていることによって、その後に第１出金口１４に集積される紙幣が飛び出すことを防止できる。また、第１出金口１４から紙幣処理装置１０の動作音等が外部に漏れることを抑制できる。
【００６６】
また、制御部７０は、第２出金口１５への紙幣の搬送が完了する前に第１出金口１４に集積された紙幣が抜き取られない場合には、第１出金口１４及び第２出金口１５への紙幣の搬送を停止する。これにより、紙幣処理装置１０の内部で紙幣のジャム等が発生することを防止できる。
【００６７】
また、制御部７０は、搬送先の切替動作と第１シャッタ１６の開動作とを行った後に、第２出金口１５の紙幣の集積枚数が最大集積枚数（１００枚）に達した場合には、搬送先を第２出金口１５から第１出金口１４へ切り替える切替動作と、第２シャッタ１７を開ける開動作とを行う。これにより、紙幣の搬送先が第１出金口１４と第２出金口１５の間で交互に切り替わることになるので、第２出金口１５に集積しきれない枚数の紙幣が出金される場合でも、職員が紙幣を抜き取った第１出金口１４に紙幣を搬送することで、出金処理を停止させる必要がなくなる。また、第２シャッタ１７を開けることにより、第１出金口１４への紙幣の搬送中に、第２出金口１５に集積された紙幣を抜き取ることが可能となる。
【００６８】
記憶部８０は、紙幣処理装置１０が動作するためのプログラム等を記憶する。また、記憶部８０は、紙幣認識部２０の鑑別結果を記憶しうる。
【００６９】
検知部８２は、例えば光学センサ等を有し、様々な状態を検知する。例えば、検知部８２は、第１出金口１４や第２出金口１５の紙幣の集積状態（集積枚数や、紙幣が抜き取られたか否か）を検知する。また、検知部８２は、紙幣の搬送状態を検知しうる。
【００７０】
なお、上述した制御部７０、および記憶部８０の機能は、ＣＰＵ（Ｃｅｎｔｒａｌ Ｐｒｏｃｅｓｓｉｎｇ
Ｕｎｉｔ）、ＲＯＭ（Ｒｅａｄ Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００７１】
（１−５．出金処理例）
図５〜図７を参照しながら、第１の実施形態に係る出金処理例について説明する。図５は、第１の実施形態に係る出金処理例を示すフローチャートである。図６は、第１の実施形態に係る出金紙幣の計数処理例を示すフローチャートである。図７は、出金処理の際の第１シャッタ１６及び第２シャッタ１７の開閉状態を説明するための図である。
【００７２】
図５のフローチャートは、例えば制御部７０のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００７３】
図５のフローチャートは、出金処理のアイドル状態、すなわち第１出金口１４の第１シャッタ１６、及び第２出金口１５の第２シャッタ１７が閉じている状態から開始される（ステップＳ１００）。アイドル状態で、制御部７０が、職員が操作する紙幣処理装置１０の操作部、又は紙幣処理装置１０に接続された受付端末から出金処理の指示を受けたものとする（ステップＳ１０２）。ここで、制御部７０は、出金を行う紙幣カセットと出金枚数の情報を受け取る。
【００７４】
次に、制御部７０は、出金される紙幣の搬送先を第１出金口１４と第２出金口１５のいずれかに設定する（ステップＳ１０４）。ここでは、搬送先が、第１出金口１４に設定されたものとするが、第２出金口１５に設定されても良い。次に、制御部７０は、指示に応じた出金動作を開始する（ステップＳ１０６）。次に、制御部７０は、図６に示す出金紙幣の計数処理を行う（ステップＳ１０８）。
【００７５】
図６のフローチャートで、制御部７０は、まず、第１出金口１４と第２出金口１５に出金紙幣を搬送可能であるか否かを判定する（ステップＳ２０２、Ｓ２０４、Ｓ２０６）。そして、第１出金口１４及び第２出金口１５に出金紙幣を搬送可能である場合には（ステップＳ２０２：Ｙｅｓ、Ｓ２０４：Ｙｅｓ）、制御部７０は、図７（ａ）に示すように、第１シャッタ１６及び第２シャッタ１７が閉じているシャッタ開閉状態１に維持する（ステップＳ２０８）。すなわち、出金処理を開始した際と同じ状態が維持される。
【００７６】
シャッタ開閉状態１で、制御部７０は、紙幣カセットから繰り出された出金紙幣を紙幣認識部２０に搬送し、鑑別結果が正常な出金紙幣を第１出金口１４に搬送する。その後、検知部８２が、第１出金口１４に最大集積枚数（１００枚）の出金紙幣が集積されたのを検知（第１出金口１４のＦｕｌｌを検知）したものとする（ステップＳ２１０）。すると、制御部７０は、出金紙幣の搬送先を第１出金口１４から第２出金口１５へ切り替える（ステップＳ２１２）。例えば、制御部７０は、切替ブレードを回動することにより、紙幣の搬送を停止させずに搬送先を切り替える。これにより、出金紙幣が第２出金口１５へ搬送される。
【００７７】
次に、制御部７０は、図７（ｂ）に示すように、出金紙幣Ｐが集積された第１出金口１４の第１シャッタ１６を開ける（ステップＳ２１４）。そして、制御部７０は、第１シャッタ１６が開いており、かつ第２シャッタ１７が閉じているシャッタ開閉状態２を維持する（ステップＳ２１６）。この際、第１シャッタ１６が開いているので、職員は、第１出金口１４に集積された出金紙幣Ｐを抜き取ることができる。
【００７８】
シャッタ開閉状態２で、出金紙幣は第２出金口１５へ搬送される。そして、制御部７０は、第１出金口１４から出金紙幣が抜き取られる前に、第２出金口１５に最大集積枚数（１００枚）の出金紙幣が集積された（第２出金口１５がＦｕｌｌ）か否かを判定する（ステップＳ２１８）。ステップＳ２１８で第２出金口１５がＦｕｌｌである場合には（Ｙｅｓ）、第１出金口１４及び第２出金口１５に出金紙幣を搬送できないので、制御部７０は、計数処理を停止する（Ｓ２４０）。
【００７９】
一方で、第２出金口１５がＦｕｌｌになる前に（ステップＳ２１８：Ｎｏ）、検知部８２が第１出金口１４に集積された出金紙幣が抜き取られたことを検知すると（ステップＳ２２０）、制御部７０は、図７（ｃ）に示すように、出金紙幣が抜き取られた第１出金口１４の第１シャッタ１６を閉じる（ステップＳ２２２）。そして、制御部７０は、第１シャッタ１６及び第２シャッタ１７が閉じているシャッタ開閉状態３を維持する（ステップＳ２２４）。この際に、出金紙幣は第２出金口１５に搬送される。
【００８０】
その後、制御部７０は、シャッタ開閉状態３で第２出金口１５がＦｕｌｌになったことを検知すると（ステップＳ２２６）、出金紙幣の搬送先を第２出金口１５から第１出金口１４へ切り替える（ステップＳ２２８）。これにより、出金紙幣が第１出金口１４へ搬送される。
【００８１】
次に、制御部７０は、図７（ｄ）に示すように、出金紙幣Ｐが集積された第２出金口１５の第２シャッタ１７を開ける（ステップＳ２３０）。そして、制御部７０は、第１シャッタ１６が閉じており、かつ第２シャッタ１７が開いているシャッタ開閉状態４を維持する（ステップＳ２３２）。この際、第２シャッタ１７が開いているので、職員は、第２出金口１５に集積された出金紙幣Ｐを抜き取ることができる。
【００８２】
シャッタ開閉状態４が維持されている際に、出金紙幣は第１出金口１４へ搬送される。そして、制御部７０は、第２出金口１５に集積された出金紙幣が抜き取られる前に、第１出金口１４がＦｕｌｌか否かを判定する（ステップＳ２３４）。ステップＳ２３４で第１出金口１４がＦｕｌｌである場合には（Ｙｅｓ）、すなわち図７（ｅ）に示すように第１出金口１４及び第２出金口１５がＦｕｌｌである場合には、出金紙幣を搬送できないので、制御部７０は、計数処理を停止する（Ｓ２４０）。
【００８３】
一方で、第１出金口１４がＦｕｌｌになる前に（ステップＳ２３４：Ｎｏ）、検知部８２が第２出金口１５に集積された出金紙幣が抜き取られたことを検知すると（ステップＳ２３６）、制御部７９は、出金紙幣が抜き取られた第２出金口１５の第２シャッタ１７を閉める（ステップＳ２３８）。そして、制御部７０は、第１シャッタ１６及び第２シャッタ１７が閉じているシャッタ開閉状態１を維持する（ステップＳ２０８）。
【００８４】
その後、出金紙幣の第１出金口１４と第２出金口１５への搬送が完了すると（ステップＳ２４２）、制御部７０は、計数処理を停止する（ステップＳ２４０）。
【００８５】
このように、計数処理が停止するまで、図６のフローチャートの処理が繰り返される。そして、計数処理が停止すると、図５のフローチャートに戻って、出金処理が継続される。すなわち、ステップＳ１０８の計数処理が停止すると、制御部７０は、出金紙幣の搬送の停止要因を判定する（ステップＳ１１０）。ここで、停止要因は、第１出金口１４及び第２出金口１５がＦｕｌｌであるか、又は出金紙幣の搬送が完了したかである。
【００８６】
ステップＳ１１０で停止要因が第１出金口１４及び第２出金口１５がＦｕｌｌである場合には、制御部７０は、出金紙幣の抜き取りを検知する（ステップＳ１１２）。この際、第１シャッタ１６及び第２シャッタ１７は、開いている。そして、制御部７０は、第１出金口１４と第２出金口１５のいずれに集積された出金紙幣が抜き取られたかを判定する（ステップＳ１１４）。
【００８７】
ステップＳ１１４で第１出金口１４の出金紙幣が抜き取られた場合には、第１出金口１４に出金紙幣を搬送可能なので、制御部７０は、出金紙幣の搬送先を第１出金口１４に設定し（ステップＳ１１６）、第１シャッタ１６を閉じる（ステップＳ１１８）。その後、制御部７０は、計数処理を再度行う（ステップＳ１０８）。この場合、図６のフローチャートでは、ステップＳ２３２のシャッタ開閉状態４となる。
【００８８】
一方で、ステップＳ１１４で第２出金口１５の出金紙幣が抜き取られた場合には、第２出金口１５に出金紙幣を搬送可能なので、制御部７０は、出金紙幣の搬送先を第２出金口１５に設定し（ステップＳ１２０）、第２シャッタ１７を閉じる（ステップＳ１２２）。その後、制御部７０は、計数処理を再度行う（ステップＳ１０８）。この場合、図６のフローチャートでは、ステップＳ２１６のシャッタ開閉状態２となる。
【００８９】
ステップＳ１１０で停止要因が出金紙幣の搬送完了である場合には、制御部７０は、計数処理停止時の搬送先が第１出金口１４と第２出金口１５のいずれであるかを判定する（ステップＳ１２４）。そして、ステップＳ１２４で搬送先が第１出金口１４である場合には、第１出金口１４の出金紙幣の抜き取りが可能となるように、制御部７０は、第１シャッタ１６を開く（ステップＳ１２６）。一方で、ステップＳ１２４で搬送先が第２出金口１５である場合には、第２出金口１５の出金紙幣の抜き取りが可能となるように、制御部７０は、第２シャッタ１７を開く（ステップＳ１２８）。
【００９０】
次に、制御部７０は、出金紙幣の抜き取りを検知する（ステップＳ１３０）。この際、第１シャッタ１６と第２シャッタ１７のいずれか一方が開いている。そして、制御部７０は、第１出金口１４と第２出金口１５のいずれに集積された出金紙幣が抜き取られたかを判定する（ステップＳ１３２）。
【００９１】
ステップＳ１３２で第１出金口１４の出金紙幣が抜き取られた場合には、制御部７０は、開いていた第１シャッタ１６を閉じる（ステップＳ１３４）。一方で、ステップＳ１３２で第２出金口１５の出金紙幣が抜き取られた場合には、制御部７０は、開いていた第２シャッタ１７を閉じる（ステップＳ１３６）。
【００９２】
次に、制御部７０は、第１出金口１４及び第２出金口１５の両方とも出金紙幣が集積されていない（第１出金口１４及び第２出金口１５がＥｍｐｔｙ）か否かを判定する（ステップＳ１３８）。ステップＳ１３８で第１出金口１４及び第２出金口１５がＥｍｐｔｙで無い場合には（Ｎｏ）、すなわち、ステップＳ１３２で出金紙幣が抜き取られていない出金口に出金紙幣が集積されている場合には、制御部７０は、ステップＳ１３０に戻って、出金紙幣の抜き取りを再度検知する。
【００９３】
一方で、ステップＳ１３８で第１出金口１４及び第２出金口がＥｍｐｔｙである場合には（Ｙｅｓ）、制御部７０は、ステップＳ１００のアイドル状態に戻る。これにより、一連の出金処理が完了する。
【００９４】
（１−６．第１の実施形態の有効性）
上述した第１の実施形態によれば、出金処理の際に、第１出金口１４と第２出金口１５のうちの一方の出金口（以下では、第１出金口１４を例に挙げて説明する）の紙幣の集積枚数が最大集積枚数に達した場合には、紙幣の搬送先を第１出金口１４から第２出金口１５へ切り替える動作と、第１出金口１４の第１シャッタ１６を開ける開動作とを行う。
【００９５】
これにより、一方の出金口（第１出金口１４）に集積された紙幣の枚数が最大集積枚数に達しても、出金処理を停止させずに、他方の出金口（第２出金口１５）に紙幣を引き続き搬送させることができる。また、第１シャッタ１６を開けることにより、第２出金口１５への紙幣の搬送中に、職員が第１出金口１４に集積された紙幣を抜き取ることが可能なので、多量の紙幣を出金処理する際に紙幣を効率的に抜き取ることができる。従って、出金処理を停止させずに多量の紙幣を効率的に出金することが可能となる。
なお、図５のフローチャートにおいて、制御部７０は出金を行う紙幣カセットと出金枚数の情報を受け取るようにしたが、出金金種と出金枚数の情報を受け取るようにしてもよい。
【００９６】
＜２．第２の実施形態＞
上述した第１の実施形態では、制御部７０は、第１出金口１４に集積された紙幣の集積枚数が最大集積枚数に達すると、紙幣の搬送先を第１出金口１４から第２出金口１５へ切り替えると共に、第１出金口１４の第１シャッタ１６を開けていた。
【００９７】
これに対して、第２の実施形態では、制御部７０は、搬送先を第２出金口１５へ切り替えた後に搬送される紙幣（未出金紙幣）の枚数と、第２出金口１５の最大集積枚数（１００枚）とを比較し、紙幣の枚数が最大集積枚数よりも多いか否かに応じて、第１シャッタ１６の開動作のタイミングを異ならせる。これにより、切替動作を行った後に搬送される未出金紙幣の枚数に応じて、第１シャッタ１６を最適なタイミングで開くことができる。
【００９８】
具体的には、制御部７０は、紙幣の枚数が最大集積枚数以下である場合には、第２出金口１５への紙幣の搬送が完了した後に、第１シャッタ１６と第２シャッタ１７を同時に開ける。一方で、制御部７０は、紙幣の枚数が最大集積枚数よりも多い場合には、搬送先の切替動作と共に第１シャッタ１６を開ける。これにより、紙幣の枚数が最大集積枚数以下である場合には、第１シャッタ１６と第２シャッタ１７が同時に開くことで、職員は、例えば出金紙幣が全て第１出金口１４及び第２出金口１５に搬送されたことを認識できる。また、紙幣の枚数が最大集積枚数よりも多い場合には、搬送先の切替動作と共に第１シャッタ１６を開けることで、第２出金口１５の紙幣の搬送中に第１出金口１４に集積された紙幣を抜き取り易くなる。
【００９９】
なお、第２の実施形態に係る紙幣処理装置１０の構成は、第１の実施形態と同様であるので、説明を省略する。以下では、図８〜図１０を参照しながら、第２の実施形態に係る出金処理例について説明する。
【０１００】
図８は、第２の実施形態に係る出金処理例を示すフローチャートである。図９は、第２の実施形態に係る計数処理例を示すフローチャートである。図１０は、第１出金口１４及び第２出金口１５の紙幣の集積枚数と、第１シャッタ１６及び第２シャッタ１７の開動作との関係を説明するための図である。
【０１０１】
図８のフローチャートでも、第１の実施形態と同様に、制御部７０は、出金処理の指示を受けると、指示に応じた出金動作を開始し、計数処理を行う（ステップＳ１０２〜１０８）。
【０１０２】
ところで、図９に示す第２の実施形態に係る計数処理では、出金紙幣の搬送先の出金口を切り替える際に、切替先の出金口に集積される出金紙幣の枚数が切替先出金口の最大集積枚数よりも多いか否かが判定される。
【０１０３】
具体的には、ステップＳ２１２で出金紙幣の搬送先を第１出金口１４から第２出金口１５に切り替えると、制御部７０は、第２出金口１５への出金紙幣（未出金紙幣）の枚数が第２出金口１５の最大集積枚数（１００枚）よりも多いか否かを判定する（ステップＳ２６２）。そして、ステップＳ２６２で未出金紙幣の枚数が第２出金口１５の最大集積枚数よりも多い場合には（Ｙｅｓ）、制御部７０は、第１出金口１４の第１シャッタ１６を開ける（ステップＳ２１４）。第１シャッタ１６が開くので（図７（ｂ）参照）、第２出金口１５に出金紙幣が搬送される際に、職員は、第１出金口１４に集積された出金紙幣を抜き取ることができる。
【０１０４】
一方で、ステップＳ２６２で未出金紙幣の枚数（ここでは、５０枚とする）が第２出金口１５の最大集積枚数以下の場合には（Ｎｏ）、制御部７０は、第１シャッタ１６を開けずに、第１シャッタ１６及び第２シャッタ１７が閉じているシャッタ開閉状態５に維持する（ステップＳ２６４）。これにより、第２出金口１５に出金紙幣が搬送される際に、職員は、第１出金口１４に集積された出金紙幣を抜き取ることができない。この結果、第２出金口１５への出金紙幣の搬送が完了すると、図１０（ａ）に示すように第１出金口１４及び第２出金口１５に出金紙幣が集積された状態で、計数処理が停止することになる（ステップＳ２４０）。
【０１０５】
同様に、ステップＳ２２８で出金紙幣の搬送先を第２出金口１５から第１出金口１４に切り替える際にも、制御部７０は、第１出金口１４への出金紙幣（未出金紙幣）の枚数が第１出金口１４の最大集積枚数（１００枚）よりも多いか否かを判定する（ステップＳ２６６）。そして、ステップＳ２６６で未出金紙幣の枚数が第１出金口１４の最大集積枚数よりも多い場合には（Ｙｅｓ）、制御部７０は第２シャッタ１７を開ける（ステップＳ２３０）。
【０１０６】
一方で、ステップＳ２６６で未出金枚数の枚数が最大集積枚数以下の場合には（Ｎｏ）、制御部７０は、第２シャッタ１７を開けずに、第１シャッタ１６及び第２シャッタ１７が閉じているシャッタ開閉状態６に維持する（ステップＳ２６８）。これにより、第１出金口１４への出金紙幣の搬送が完了すると、第１出金口１４及び第２出金口１５に出金紙幣が集積された状態で、計数処理が停止することになる（ステップＳ２４０）。
【０１０７】
図９において、上述したステップ以外の他のステップの処理内容は、第１の実施形態と同様であるので、詳細な説明は省略する。第２の実施形態でも、計数処理が停止するまで、図９のフローチャートの処理が繰り返される。そして、計数処理が停止すると、図８のフローチャートに戻って、出金処理が継続される。すなわち、ステップＳ１０８の計数処理が停止すると、制御部７０は、出金紙幣の停止要因を判定する（ステップＳ１１０）。
【０１０８】
そして、ステップＳ１１０で停止要因が第１出金口１４及び第２出金口１５がＦｕｌｌである場合には、制御部７０は、第１の実施形態と同様にステップＳ１１２〜ステップ１２２の処理を行う。
【０１０９】
一方で、ステップＳ１１０で停止要因が出金紙幣の搬送完了である場合には、制御部７０は、第１シャッタ１６と第２シャッタ１７の開動作を並行して処理する。すなわち、制御部７０は、第１出金口１４に出金紙幣が集積されているか否かを判定し（ステップＳ１６２）、ステップＳ１６２で第１出金口１４に出金紙幣が集積されていると（Ｙｅｓ）、第１シャッタ１６を開ける（ステップＳ１６４）。同時に、制御部７０は、第２出金口１５に出金紙幣が集積されているか否かを判定し（ステップＳ１６６）、ステップＳ１６６で第２出金口１５に出金紙幣が集積されていると（Ｙｅｓ）、第２シャッタ１７を開ける（ステップＳ１６８）。
【０１１０】
このため、図９に示すステップＳ２６４、Ｓ２６８のように、未出金紙幣の枚数が第１出金口１４や第２出金口１５の最大集積枚数以下に起因して第１出金口１４及び第２出金口１５に出金紙幣が集積された状態で計数処理が停止した場合には、図１０（ｂ）に示すように、第１シャッタ１６及び第２シャッタ１７が共に（例えば同時に）開くことになる。このように第１シャッタ１６及び第２シャッタ１７が共に開くことで、職員は、例えば出金紙幣が全て第１出金口１４及び第２出金口１５に搬送されたことを認識できる。
【０１１１】
その後のステップＳ１３０〜Ｓ１３８の処理は、第１の実施形態と同様であるので、詳細な説明は省略する。これにより、第２の実施形態に係る一連の出金処理が完了する。
【０１１２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１３】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【０１１４】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【０１１５】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１１６】
１０    紙幣処理装置
１４    第１出金口
１５    第２出金口
１６    第１シャッタ
１７    第２シャッタ
２０    紙幣認識部
２２    一時保留部
２４    搬送部
３０Ａ〜３０Ｄ    紙幣カセット
７０    制御部
８２    検知部
【図１】
2014035676.tif 000003
【図２】
2014035676.tif 000004
【図３】
2014035676.tif 000005
【図４】
2014035676.tif 000006
【図５】
2014035676.tif 000007
【図６】
2014035676.tif 000008
【図７】
2014035676.tif 000009
【図８】
2014035676.tif 000010
【図９】
2014035676.tif 000011
【図１０】
2014035676.tif 000012